(57)【要約】【課題】目地隙間の両側に配置された外面材の位置にずれがあっても、その段差が目立ちにくくすることができる建物外壁の目地構造を提供すること。【解決手段】外壁パネル１，１の間の目地隙間Ｓが、防水性および防火性を有したガスケット３でシールされた建物外壁の目地構造であって、隣り合う外面材１５どうしの間に、目地隙間Ｓの屋外開口に連続して、この目地隙間Ｓよりも幅広であり、かつ、外面材１５の表面位置よりも奥まった形状の目地凹部２を形成し、外面材１５に、外面材１５とガスケット３とに跨り目地凹部２に沿って配置された防火板材５を設けた。【選択図】図１
2008031764.tif 000002
【特許請求の範囲】
【請求項１】
建物の外壁が、外壁パネルを並設して形成され、
この外壁パネルの外側が、防火性および防水性を有した外面材で覆われ、
前記外壁パネルの間に、目地隙間が形成され、
この目地隙間が、防水性および防火性を有したシール部材でシールされた建物外壁の目地構造であって、
前記隣り合う外面材どうしの間に、前記目地隙間の屋外開口に連続して、この目地隙間よりも幅広であり、かつ、前記外面材の表面位置よりも奥まった形状の目地凹部が形成され、
前記外面材の端部に、前記外面材とシール部材とに跨り前記目地凹部に沿って配置された防火板材が設けられていることを特徴とする建物外壁の目地構造。
【請求項２】
前記外壁パネルが、枠材の外側に構造面材を取り付け、この構造面材との間に縦胴縁を介して前記外面材を取り付けて形成され、
前記目地凹部の奥面が、前記構造面材の端縁部により形成され、
前記目地凹部の奥行き寸法が、前記外面パネルおよび縦胴縁の厚みに相当することを特徴とする請求項１に記載の建物外壁の目地構造。
【請求項３】
前記目地凹部の側面が、前記外面材の端面と前記縦胴縁の側面とで形成され、
前記防火板材は、前記縦胴縁の外側面と外面材の内面とに挟持された被挟持部と、この被挟持部に連続して形成され、前記縦胴縁の側面および構造面材の端縁部の非防火領域に沿って配置された非防火領域カバー部と、を備えていることを特徴とする請求項２に記載の建物外壁の目地構造。
【請求項４】
前記外面材の端部に、前記縦胴縁に沿って屈曲された形状の出隅部が一体に形成され、
この出隅部により、前記目地凹部の側面が形成され、
前記防火板材は、前記縦胴縁の側面と前記外面材の出隅部とに挟持された被挟持部と、この被挟持部に連続して形成され、前記構造面材の端縁部の非防火領域に沿って配置された非防火領域カバー部と、を備えていることを特徴とする請求項２に記載の建物外壁の目地構造。
【請求項５】
前記シール部材に、前記目地隙間に装着されるガスケットが含まれ、
このガスケットは、前記目地隙間を覆い、前記目地凹部の奥面に沿って配置される化粧板部と、この化粧板部と一体に形成され、前記目地隙間に挿入した圧接される挿入部と、を備え、
前記非防火領域カバー部の先端が、前記化粧板部と目地凹部の奥面との間に挟持されていることを特徴とする請求項３または請求項４に記載の建物外壁の目地構造。
【発明の詳細な説明】
【技術分野】
【０００１】
本発明は、住宅建物などに適用される外壁の外壁パネル間における目地部分の構造に関する。
【背景技術】
【０００２】
従来、住宅建物などにおいて、外壁パネルを並べて外壁が形成され、かつ、隣接する外壁パネルどうしの間に形成された目地隙間に、防水用の目地材を設けた構造が知られている（例えば、特許文献１参照）。
【特許文献１】特開平５−１３３０７４号公報
【発明の開示】
【発明が解決しようとする課題】
【０００３】
上述のような構造では、外壁パネルの外側に取り付けられた外面材が、目地隙間を挟んで近接して配置されているため、隣り合う外面材の室内外方向の位置が異なって配置されている場合に、目地隙間を挟んで段差が生じ、外観品質を悪化させるという問題がある。また、このような段差が生じないように、各外面材の室内外方向の位置を正確に取り付けるようにすると、製造効率が悪化する。
【０００４】
本発明は、上述の従来の問題に着目してなされたもので、目地隙間の両側に配置された外面材の位置にずれがあっても、その段差が目立ちにくくすることができる建物外壁の目地構造を提供することを目的とする。
【課題を解決するための手段】
【０００５】
本発明は、上述事情に鑑みなされたものであって、請求項１に記載の発明は、建物の外壁が、外壁パネルを並設して形成され、この外壁パネルの外側が、防火性および防水性を有した外面材で覆われ、前記外壁パネルの間に、目地隙間が形成され、この目地隙間が、防水性および防火性を有したシール部材でシールされた建物外壁の目地構造であって、前記隣り合う外面材どうしの間に、前記目地隙間の屋外開口に連続して、この目地隙間よりも幅広であり、かつ、前記外面材の表面位置よりも奥まった形状の目地凹部が形成され、前記外面材の端部に、前記外面材とシール部材とに跨り前記目地凹部に沿って配置された防火板材が設けられている建物外壁の目地構造とした。
【０００６】
また、請求項２に記載の発明は、請求項１に記載の建物外壁の目地構造において、前記外壁パネルが、枠材の外側に構造面材を取り付け、この構造面材との間に縦胴縁を介して前記外面材を取り付けて形成され、前記目地凹部の奥面が、前記構造面材の端縁部により形成され、前記目地凹部の奥行き寸法が、前記外面パネルおよび縦胴縁の厚みに相当することを特徴とする建物外壁の目地構造とした。
【０００７】
また、請求項３に記載の発明は、請求項２に記載の建物外壁の目地構造において、前記目地凹部の側面が、前記外面材の端面と前記縦胴縁の側面とで形成され、前記防火板材は、前記縦胴縁の外側面と外面材の内面とに挟持された被挟持部と、この被挟持部に連続して形成され、前記縦胴縁の側面および構造面材の端縁部の非防火領域に沿って配置された非防火領域カバー部と、を備えていることを特徴とする建物外壁の目地構造とした。
【０００８】
また、請求項４に記載の発明は、請求項２に記載の建物外壁の目地構造において、前記外面材の端部に、前記縦胴縁に沿って屈曲された形状の出隅部が一体に形成され、この出隅部により、前記目地凹部の側面が形成され、前記防火板材は、前記縦胴縁の側面と前記外面材の出隅部とに挟持された被挟持部と、この被挟持部に連続して形成され、前記構造面材の端縁部の非防火領域に沿って配置された非防火領域カバー部と、を備えていることを特徴とする建物外壁の目地構造とした。
【０００９】
また、請求項５に記載の発明は、請求項３または請求項４に記載の建物外壁の目地構造において、前記シール部材に、前記目地隙間に装着されるガスケットが含まれ、このガスケットは、前記目地隙間を覆い、前記目地凹部の奥面に沿って配置される化粧板部と、この化粧板部と一体に形成され、前記目地隙間に挿入した圧接される挿入部と、を備え、前記非防火領域カバー部の先端が、前記化粧板部と目地凹部の奥面との間に挟持されていることを特徴とする建物外壁の目地構造とした。
【発明の効果】
【００１０】
請求項１の発明は、外壁パネルの外面材の間に、目地隙間の間隔よりも幅広の目地凹部を形成したため、隣り合う外面材の室内外方向の位置が異なって配置されていても、両者の位置の違いによる段差がわかりにくくなり、外面材の取り付け精度を高くしなくても、外観品質を向上させることができる。
【００１１】
また、外壁に目地隙間よりも広い凹部を形成した、新たな意匠を提供でき、設計自由度を高めることができる。
【００１２】
しかも、目地凹部において、防火性・防水性を有した外面材とシール部材とに跨って防火板材を沿わせたため、外面材とシール材との間に防火ラインを確保することができる。しかも、防火板材を外面材に設けたため、施工時には、外面材を取り付けることで、防火板材が設置され、これら外面材と防火板材とを別個に取り付けるのに比べて、施工性に優れる。
【００１３】
さらに、目地凹部の防火ラインを、板状の防火板材で形成するようにしたため、目地凹部の奥面の防火ラインを厚みが厚い外面材により形成するのに比べて、目地凹部の奥行きを容易に深く形成することができる。
【００１４】
すなわち、目地凹部の奥面の防火ラインを外面材で形成した場合、目地凹部の奥行きを深く形成するには、外壁の外表面の位置を、屋外側に配置する必要があり、この場合、外面材を支持する胴縁などの厚みを厚くする必要があり、構成部品の大型化および外壁パネルの重量増を招く。本発明では、防火板材を追加するだけで防火ラインを確保できるので、このような構成部品の大型化や重量増を抑えて、容易に目地奥部の奥行きを深くすることができる。
【００１５】
上記効果に加え請求項２に記載の発明は、目地凹部の奥面を構造面材で形成し、その奥行き寸法が、外面材と縦胴縁との厚みに相当する寸法に形成したため、目地凹部を外面材の厚み分だけの奥行きに形成するのに比べて、奥行きを深く形成することができる。このため、外面材の段差をわかりにくくして外観品質を高める効果が、より高く得られる。
【００１６】
上記効果に加え請求項３に記載の発明は、目地凹部の側面を、外面材の端面と縦胴縁の側面とで形成したため、目地凹部の幅寸法を広く形成することができる。これにより、外面材どうしの間隔を広く確保することができ、外面材の段差をわかりにくくして外観品質を高める効果が、よりいっそう高く得られる。
【００１７】
さらに、防火板材の外面材への取り付け部分である被挟持部を、縦胴縁の外側面と外面材の内面とに挟持するようにしたため、防火板材において、縦胴縁部分に隙間が生じないようにでき、高い防火性が得られる。
【００１８】
上記請求項１および請求項２に記載の発明の効果に加えて、請求項４に記載の発明は、目地凹部の側面を、外面材に一体に形成した出隅部により形成したため、外面材の厚さがあたかも出隅部の長さを有するように見え、外面材の本来の厚さの端面を露出させるのに比べて、高級感を出して外観品質を高めることができる。  
【００１９】
また、防火板材の外面材への取り付け部分である被挟持部を、縦胴縁の側面と出隅部とに挟持するようにしたため、防火板材において、縦胴縁部分に隙間が生じないようにでき、高い防火性が得られる。
【００２０】
上記効果に加え、請求項５に記載の発明は、防火板材の、被挟持部とは反対側の先端部を、ガスケットの化粧板部と構造面材の端縁部との間に挟持するようにしたため、防火板材において、目地隙間部分に隙間が生じないようにでき、高い防火性が得られる。
【発明を実施するための最良の形態】
【００２１】
以下、本発明の実施の形態を図面に基づいて説明する。
【００２２】
この実施の形態の建物外壁の目地構造は、建物（Ｈ）の外壁（ＷＯ）が、外壁パネル（１）を並設して形成され、この外壁パネル（１）の外側が、防火性および防水性を有した外面材（１５）で覆われ、前記外壁パネル（１）の間に、目地隙間（Ｓ）が形成され、この目地隙間（Ｓ）が、防水性および防火性を有したシール部材（３）でシールされた建物外壁の目地構造であって、前記隣り合う外面材（１５）どうしの間に、前記目地隙間（Ｓ）の屋外開口に連続して、この目地隙間（Ｓ）よりも幅広であり、かつ、前記外面材（１５）の表面位置よりも奥まった形状の目地凹部（２）が形成され、前記外面材（１５）の端部に、外面材（１５）とシール部材（３）とに跨り前記目地凹部（２）に沿って配置された防火板材（５）が設けられていることを特徴とする建物外壁の目地構造である。
【実施例１】
【００２３】
図１〜図３に基づいて本発明の最良の実施の形態の実施例１の建物外壁の目地構造Ａについて説明する。
【００２４】
まず、構成について説明する。
【００２５】
実施例１の建物外壁の目地構造Ａは、図示を省略した複数の建物ユニットおよび屋根ユニットを結合して構成された図３に示す住宅建物Ｈにおいて、外壁ＷＯおよび妻壁ＲＷの図において太線で示す目地部分Ｍに適用されている。
【００２６】
この目地部分Ｍは、図示のように、住宅建物Ｈにおいて、１階と２階との間や、２階と妻壁ＲＷとの間に、水平方向に延在される目地部分Ｍ１と、１階と２階のそれぞれで縦方向に延在する目地部分Ｍ２とが存在する。
【００２７】
実施例１の建物外壁の目地構造Ａは、両者Ｍ１，Ｍ２に適用されているが、それぞれ同様の構成であるので、以下に、図３のＳ２−Ｓ２線で切った状態を示す図２およびその拡大図である図１に基づいて、縦方向に延在される目地部分Ｍ２について説明し、水平方向に延在される目地部分Ｍ１についての図示および詳細な説明は省略する。
【００２８】
図２に示すように、外壁ＷＯを構成する外壁パネル１は、枠材１１、内壁材１２、断熱材１３、構造面材１４、外面材１５を備えている。
【００２９】
すなわち、各外壁パネル１には、強度を保つ構造材として内部に枠材１１が設けられている。そして、この枠材１１の内側面と外側面に、それぞれ内壁材１２と構造面材１４とが釘などにより固定され、この構造面材１４と内壁材１２との間に形成される空間部１６に、断熱材（例えば、グラスウール）１３が充填されている。なお、構造面材１４の外表面には、防水シートが貼付されている。
【００３０】
外面材１５は、防水性および防火性を有した、例えばタイルなどにより形成されており、この外面材１５は、構造面材１４との間に複数の縦胴縁１７を介在させた状態で、釘などにより構造面材１４および枠材１１に固定されている。なお、縦胴縁１７は、外壁パネル１の上下方向のほぼ全長に亘って、縦方向に延在されており、かつ、横方向（矢印ＳＤ方向）に所定の間隔で複数設けられている。
【００３１】
外壁パネル１は、外壁ＷＯを構成して住宅建物Ｈの外周に沿って並べて設けられており、外壁パネル１と外壁パネル１との間には、目地隙間Ｓが形成されている。
【００３２】
目地隙間Ｓは、外壁パネル１，１の端面間の構造面材１４どうしおよび枠材１１どうしの間に形成された、１０〜３０ｍｍほどの幅の隙間であって、実施例１では、２０ｍｍ程度の幅に形成されている。また、外面材１５どうしおよび縦胴縁１７どうしの間には、目地凹部２が形成されている。そこで、これら目地隙間Ｓおよび目地凹部２の部分の構造について、図１に基づいて説明する。
【００３３】
構造面材１４と外面材１５との間に複数介在されている縦胴縁１７のうち、構造面材１４の端面１４ａに最も近い位置に設けられている縦胴縁１７ａは、端面１４ａよりも外壁パネル１の中央方向（矢印ＣＥ方向）から離れた位置であって、枠材１１と室内外方向（矢印ＩＮＯＴ方向）に重なる位置に配置されている。この位置は、端面１４ａから２０〜３０ｍｍほど離れた位置であって、本実施例１では、２６ｍｍ程度離れた位置である。
【００３４】
また、外面材１５の端面１５ａは、縦胴縁１７ａの側面よりも僅かに目地隙間Ｓの方向へ突出する位置に配置されている。なお、この突出寸法は、後述する防火板材５の厚さ寸法に相当する。
【００３５】
したがって、目地凹部２は、外面材１５の端面１５ａどうしと、縦胴縁１７ａの側面１７ｂどうしと、に挟まれるようにして、構造面材１４の端縁部１４ｂの外側位置に、凹形状に形成されている。
【００３６】
目地隙間Ｓは、目地凹部２の奥面である、構造面材１４の間に開口され、この開口部分には、一次防水用のガスケット（シール部材）３と、二次防水用の水切り板４とが設けられている。また、この目地隙間Ｓの奥には、防火断熱部材（例えば、グラスウール）１８が充填されている（図２参照）。
【００３７】
水切り板４は、薄い樹脂板により形成され、目地隙間Ｓを上下方向の全長に亘って塞いでおり、両構造面材１４の端面１４ａあるいは枠材１１に接着などにより固定され、目地隙間Ｓをシールしている。
【００３８】
ガスケット３は、防火性および防水性を有した素材、例えばエチレン−プロピレン−ジエンゴム（以下、ＥＰＤＭと称する）により形成され、化粧板部３１と挿入部３２とを備えている。
【００３９】
化粧板部３１は、目地隙間Ｓを塞いでシールを行うもので、目地隙間Ｓを上下方向の全長に亘って塞ぐことのできる長さであり、かつ、目地隙間Ｓの間隔よりも幅広の板状に形成されている。
【００４０】
挿入部３２は、目地隙間Ｓに挿入されて水切り板４に圧接されるもので、化粧板部３１の中央部から裏面側に延在された中央基部３２ａと、この中央基部３２ａの両側から突出された複数のシール部３２ｂと、を備えている。
【００４１】
外面材１５の端部には防火板材５が外面材１５の上下方向の全長に亘って設けられている。
【００４２】
この防火板材５は、防火性および防水性を有した金属薄板材、例えば、ガルバリウム鋼板で形成され、外面材１５の端縁部の裏面側に接着などで固定されている。
【００４３】
また、この防火板材５は、図示のように、縦胴縁１７ａの外側面と防火板材５との間に挟まれる被挟持部５ａと、この被挟持部５ａに連続して断面が略Ｌ字状に形成されたＬ字部（非防火領域カバー部）５ｂとを備えている。
【００４４】
そして、この防火板材５は、図示のように、外面材１５を外壁パネル１に釘６で固定した際に、Ｌ字部５ｂが、目地凹部２において、外面材１５の端面１５ａと化粧板部３１との間に位置する防火性を有していない非防火領域である、縦胴縁１７ａの側面１７ｂと構造面材１４の端縁部１４ｂとを覆って配置され、Ｌ字部５ｂの先端部が化粧板部３１と構造面材１４の端縁部１４ｂとに挟持されている。
【００４５】
なお、外面材１５の表面および防火板材５のＬ字部５ｂの表面は、塗膜７によって被覆されている。
【００４６】
以上説明した実施例１の建物外壁の目地構造Ａにあっては、以下に列挙する効果を奏する。
ａ）外壁パネル１，１の間に、目地隙間Ｓよりも間隔の広い目地凹部２が形成されている。したがって、隣り合う外壁パネル１，１において、外面材１５の室内外方向（矢印ＩＮＯＴ方向）の位置が異なって配置されていても、両者の位置の違いによる段差がわかりにくくなり、従来と比較して同等の外面材１５の取り付け精度であれば、外観品質を向上させることができる。
また、外壁ＷＯに目地隙間Ｓよりも広い目地凹部２を形成した、新たな意匠を提供でき、設計自由度を高めることができる。
【００４７】
ｂ）外面材１５の幅寸法を構造面材１４の幅寸法よりも短くして形成された段部で目地凹部２を形成したが、外面材１５とガスケット３との間の非防火領域（縦胴縁１７ａおよび構造面材１４の端縁部１４ｂ）を、外面材１５に設けた防火性および防水性を有した防火板材５により覆うようにした。
したがって、目地凹部２を形成しても、この部分の防火性および防水性を確保することができる。しかも、防火板材５は、外面材１５に設けているため、施工時の手間が増えることが無く、施工性に優れる。
【００４８】
ｃ）目地凹部２の防火ラインを、板状の防火板材５で形成するようにしたため、目地凹部２の奥面の防火ラインを外面材１５により形成するのに比べて、目地凹部２の奥行きを容易に深く形成することができる。
すなわち、目地凹部２の奥面の防火ラインを外面材１５で形成した場合、目地凹部２の奥行きを深く形成するには、外壁ＷＯの外表面の位置を、屋外側に配置する必要があり、この場合、外面材１５を支持する縦胴縁１７の厚みを厚くする必要があり、外壁パネル１の重量増を招く。それに対して、本実施例１では、防火ラインを形成するのに外面材１５に防火板材５を設けるだけであるので、このような縦胴縁１７の大型化および重量増を抑え、容易に目地凹部２の奥行きを深くすることができる。
【００４９】
ｄ）目地凹部２の奥面を構造面材１４で形成し、その奥行き寸法が、外面材１５と縦胴縁１７との厚みに相当する寸法に形成したため、目地凹部２を外面材１５の厚み分だけの奥行きに形成するのに比べて、奥行きを深く形成することができる。このため、外面材１５の段差をわかりにくくして外観品質を高める効果が、より高く得られる。
【００５０】
ｅ）防火板材５のＬ字部５ｂの先端部を、ガスケット３の化粧板部３１と構造面材１４の端縁部１４ｂとの間に挟持させたため、先端部を化粧板部３１に付き合わせる場合よりも防火性能を確実に得ることができる。
同様に、防火板材５の被挟持部５ａを外面材１５の裏面に固定し、この部分を縦胴縁１７ａとの間に挟持させたため、防火性能を確実に得ることができる。
【００５１】
ｆ）防火板材５のＬ字部５ｂが、外面材１５の端面１５ａと略同一面になるように形成したため、両者の間に段差が生じるように設けるのに比べて、外観品質を高めることができる。
【００５２】
ｇ）外面材１５と防火板材５は、同一の塗膜７により覆われているため、外見上は、両者が一体に見え、外観品質に優れる。
しかも、外観上は、目地凹部２において、防火板材５の部分も外面材１５と一体に見えるため、外面材１５の厚みが、実際よりも厚く見え、両者５，１５が別体に見える場合よりも、高級感を高めることができる。
【実施例２】
【００５３】
次に、図４および図５に基づいてこの発明の実施の形態の実施例２の建物外壁の目地構造Ｂについて説明する。なお、前記実施例１と同一ないし均等な部分については、同一符号を付して説明を省略し、実施例１と相違する部分を中心として説明する。
【００５４】
実施例２では、外壁パネル２０１，２０１の外面材２１５の端部に出隅部２１５ａが形成されている。
【００５５】
この出隅部２１５ａは、図５に示すように、縦胴縁１７ａに沿うように、外面材２１５の端部において、室内方向（矢印ＩＮ方向）へ略直角に屈曲され、かつ、突出代が先端面２１５ｂが構造面材１４に近接する寸法に形成されている。なお、外面材２１５は、出隅部２１５ａも含めて外表面が塗膜７で覆われている。
【００５６】
また、防火板材２０５は、図示のように、略Ｌ字断面形状に形成され、出隅部２１５ａと縦胴縁１７ａの側面との間に挟まれる挟持部２０５ａと、外面材２１５の先端面２１５ｂと構造面材１４の端縁部１４ｂとの間に挟まれる非防火領域カバー部２０５ｂと、を備えている。
【００５７】
この非防火領域カバー部２０５ｂの先端は、実施例１と同様に、化粧板部３１と構造面材１４の端縁部１４ｂとの間に挟持されている。
【００５８】
図示のように、目地凹部２０２は、外面材２１５の出隅部２１５ａに両側を挟まれ、奥面が化粧板部３１により形成されている。
【００５９】
この実施例２では、防火ラインが、外面材２１５の出隅部２１５ａと、ガスケット３の化粧板部３１とが当接され、かつ、その裏側位置で、防火板材２０５により、縦胴縁１７ａの側面１７ｂと構造面材１４の端縁部１４ｂとが覆われている。
【００６０】
しかも、防火板材２０５は、外面材２１５と接している部分が、縦胴縁１７ａの側面１７ｂと構造面材１４の端縁部１４ｂとのそれぞれに挟まれ、先端部がガスケット３の化粧板部３１と端縁部１４ｂとに挟まれている。
【００６１】
したがって、非防火領域部分と外部との間に隙間が無く、高い防火性能が得られる。
【００６２】
しかも、実施例２では、外面材２１５に出隅部２１５ａを設けたため、目地凹部２０２において、出隅部２１５ａの全長が表れ、外面材２１５の厚さがあたかも出隅部２１５ａの全長の寸法を有するように見え、外面材２１５の本来の厚さの端面を露出させるのに比べて、高級感を出して外観品質を高めることができる。例えば、外面材２１５の表面をレンガ模様とした場合、このレンガの厚みが、出隅部２１５ａの厚みを有しているように見え、重厚感で高級感のある外観品質が得られる。
【００６３】
なお、実施例１と同様の構成に基づいて、上記ａ）ｂ）ｃ）ｄ）の効果も奏するが、理由は前述しているので説明を省略する。
【００６４】
以上、図面を参照して、本発明の実施の形態および実施例１，２について詳述してきたが、具体的な構成は、これらの構成に限定されるものではなく、本発明の要旨を逸脱しない程度の設計的変更は、本発明に含まれる。
【００６５】
例えば、実施例１，２では、目地凹部２，２０２の奥面を構造面材１４の端縁部１４ｂで形成した例を示したが、枠材１１で形成することもできる。この場合、目地凹部２，２０２をより奥行きのある形状に形成することができる。
【００６６】
また、実施例１，２では、ユニット式の住宅建物Ｈに適用した例を示したが、在来工法や２×４工法の建物などユニット住宅以外の建物にも適用することができる。
【００６７】
また、実施例１，２では、シール材としてのガスケット３をＥＰＤＭにより形成した例を示したが、防火性および防水性を有するものであれば他の素材を用いてもよく、例えば、樹脂などの基材の表面に薄いアルミなどの金属板を積層した積層板を用いてもよい。
【図面の簡単な説明】
【００６８】
【図１】本発明の実施の形態の実施例１の建物外壁の目地構造Ａの要部を示す断面図であって、図２の要部を拡大して示している。
【図２】本発明の実施の形態の実施例１の建物外壁の目地構造Ａを示す断面図であって、図３のＳ２−Ｓ２線で切った状態を示している。
【図３】本発明の実施の形態の実施例１の建物外壁の目地構造Ａを適用した住宅建物Ｈの外観の概略を示す斜視図である。
【図４】本発明の実施の形態の実施例２の建物外壁の目地構造Ｂを示す断面図であって、図２と同様の部分を示している。
【図５】本発明の実施の形態の実施例２の建物外壁の目地構造Ｂの要部を示す断面図であって、図４の要部を拡大して示している。
【符号の説明】
【００６９】
１     外壁パネル
２     目地凹部
３     ガスケット（シール部材）
５     防火板材
５ａ   被挟持部
５ｂ   Ｌ字部（非防火領域カバー部）
１１   枠材
１４   構造面材
１５   外面材
１６   空間部
１７ａ 縦胴縁
１７ｂ 側面
２０１ 外壁パネル
２０２ 目地凹部
２０５ 防火板材
２０５ａ挟持部
２０５ｂ非防火領域カバー部
２１５ 外面材
２１５ａ出隅部
Ｈ     住宅建物
ＲＷ   妻壁
Ｓ     目地隙間
ＷＯ   外壁
【図１】
2008031764.tif 000003
【図２】
2008031764.tif 000004
【図３】
2008031764.tif 000005
【図４】
2008031764.tif 000006
【図５】
2008031764.tif 000007